(57)【要約】【課題】本発明は、自動的に特許出願のファイルの簡体字の書式或いは繁体字の書式を変換して、素早く、且つ正確に特許出願のファイルを変換することできる中国語の特許出願のファイル変換システム及びその変換方法を提供することを目的とする。【解決手段】本発明の中国語の特許出願のファイル変換システムは、書式ファイルを設定する設定モジュールと、特許出願のファイルの内容を第一書式ファイルに導入する導入モジュールと、第一書式ファイルの内容を簡体字と繁体字とに変換するコールモジュールと、第一書式ファイルの内容を第二書式ファイルに導入する導入モジュールと、第二書式ファイルの内容が対応する単語表の単語を備えているかどうかを判断する判断モジュールと、第二書式ファイルに対応する単語表の単語を備える場合、対応する単語表によって、第二書式ファイルの単語を変換する変換モジュールと、を備える。【選択図】図３
2014123379.tif 000002
【特許請求の範囲】
【請求項１】
中国語の特許出願のファイル変換システムにおいて、
書式ファイルを設定する設定モジュールと、
特許出願のファイルの内容を第一書式ファイルに導入する導入モジュールと、
ユーザが選択した変換インターフェースに基づいて該第一書式ファイルの内容を簡体字から繁体字に変換する或いは繁体字から簡体字に変換するコールモジュールと、
変換した第一書式ファイルの内容を第二書式ファイルに導入する導入モジュールと、
該第二書式ファイルの内容が対応する単語表の単語を備えているかどうかを判断する判断モジュールと、
前記第二書式ファイルの内容に対応する単語表の単語を備える場合、該対応する単語表によって、前記第二書式ファイルの単語を変換する変換モジュールと、
を備えることを特徴とする中国語の特許出願のファイル変換システム。
【請求項２】
前記単語表は、中国語の簡体字の単語表及び中国語の繁体字の単語表を備えることを特徴とする請求項１に記載の中国語の特許出願のファイル変換システム。
【請求項３】
前記第一書式ファイルは、中国語の簡体字の書式ファイルであり、前記第二書式ファイルは、中国語の繁体字の書式ファイルであることを特徴とする請求項１から２のいずれか１項に記載の中国語の特許出願のファイル変換システム。
【請求項４】
前記特許出願のファイルが中国語の簡体字の書式ファイルである場合、前記導入モジュールが、前記特許出願のファイルの内容を前記第一書式ファイルに導入することを特徴とする請求項３に記載の中国語の特許出願のファイル変換システム。
【請求項５】
前記コールモジュールは、前記第一書式ファイルに導入された内容に対して中国語の簡体字を中国語の繁体字に変換させることを特徴とする請求項３に記載の中国語の特許出願のファイル変換システム。
【請求項６】
前記判断モジュールは、前記第二書式ファイルの内容に、前記中国語の繁体字の単語表の単語を備えているかどうかを判断することを特徴とする請求項１から３のいずれか１項に記載の中国語の特許出願のファイル変換システム。
【請求項７】
前記第一書式ファイルは前記中国語の繁体字の書式ファイルであり、前記第二書式ファイルは前記中国語の簡体字の書式ファイルであることを特徴とする請求項１から６のいずれか１項に記載の中国語の特許出願のファイル変換システム。
【請求項８】
前記特許出願のファイルが中国語の繁体字の書式ファイルである場合、前記導入モジュールが、前記特許出願のファイルの内容を前記第一書式ファイルに導入することを特徴とする請求項７に記載の中国語の特許出願のファイル変換システム。
【請求項９】
前記コールモジュールが、前記第一書式ファイルに導入した内容に対して、中国語の繁体字を中国語の簡体字に変換することを特徴とする請求項７に記載の中国語の特許出願のファイル変換システム。
【請求項１０】
中国語の特許出願のファイルの変換方法において、
書式ファイルを設定するステップと、
特許出願のファイルの内容を第一書式ファイルに導入するステップと、
ユーザが選択した変換インターフェースが該第一書式ファイルの内容を簡体字から繁体字に変換する或いは繁体字から簡体字に変換するステップと、
変換した第一書式ファイルの内容を第二書式ファイルに導入するステップと、
該第二書式ファイルの内容が対応する単語表の単語を備えているかどうかを判断するステップと、
前記第二書式ファイルの内容に対応する単語表の単語を備える場合、該対応する単語表によって、前記第二書式ファイルの単語を変換するステップと、
を備えることを特徴とする中国語の特許出願のファイルの変換方法。
【発明の詳細な説明】
【技術分野】
【０００１】
本発明は、ファイル変換システムに関し、特に中国語の特許出願のファイル変換システム及びその変換方法に関するものである。
【背景技術】
【０００２】
中国語には、繁体字と簡体字があり、大部分の繁体字と簡体字の単語の書き方、意味は同じであるが、書き方、意味が全く違う単語もある。例えば、書き方において、特許文献を記載する際に使用する漢字において、パソコン等の電子装置を使用して、簡体字
【０００３】
【数１】
2014123379.tif 000003
【０００４】
の簡体字を繁体字に変換した場合
【０００５】
【数２】
2014123379.tif 000004
【０００６】
であり、簡体字「屏蔽」を繁体字に変換した場合「遮罩」である。意味においては、単語の意味を考えずに、文字を簡体字から繁体字に変換すると、意味が全く異なってしまう場合があるため、文書全体も全く違う意味になってしまう。このような場合、特に正式な文書或いは専門文書において、文書の繁体字或いは簡体字を一つ一つ調査しなければならならず、変換の正確性が低いため実に不便である。また、中国語繁体字の特許出願のファイルの書式は、中国語簡体字の特許出願のファイルの書式と異なるので、繁体字を簡体字に変換しても、特許庁の要求に対応する中国語簡体字の特許出願のファイルの書式を生成できない。
【発明の概要】
【発明が解決しようとする課題】
【０００７】
以上の問題点に鑑みて、本発明は、自動的に特許出願のファイルの簡体字の書式或いは繁体字の書式を変換して、素早く、且つ正確に特許出願のファイルを変換することできる中国語の特許出願のファイル変換システム及びその変換方法を提供することを目的とする。
【課題を解決するための手段】
【０００８】
上記の課題を解決するために、本発明の中国語の特許出願のファイル変換システムは、書式ファイルを設定する設定モジュールと、特許出願のファイルの内容を第一書式ファイルに導入する導入モジュールと、ユーザが選択した変換インターフェースが該第一書式ファイルの内容を簡体字から繁体字に変換する或いは繁体字から簡体字に変換するコールモジュールと、変換した第一書式ファイルの内容を該第二書式ファイルに導入する導入モジュールと、該第二書式ファイルの内容が対応する単語表の単語を備えているかどうかを判断する判断モジュールと、前記第二書式ファイルの内容に対応する単語表の単語を備える場合、該対応する単語表によって、前記第二書式ファイルの単語を変換する変換モジュールと、を備える。
【０００９】
上記の課題を解決するために、本発明の中国語の特許出願のファイルの変換方法は、書式ファイルを設定するステップと、特許出願のファイルの内容を第一書式ファイルに導入するステップと、ユーザが選択した変換インターフェースに基づいて、該第一書式ファイルの内容を簡体字から繁体字に変換する或いは繁体字から簡体字に変換するステップと、変換した第一書式ファイルの内容を該第二書式ファイルに導入するステップと、該第二書式ファイルの内容が対応する単語表の単語を備えているかどうかを判断するステップと、前記第二書式ファイルの内容に対応する単語表の単語を備える場合、該対応する単語表によって、前記第二書式ファイルの単語を変換するステップと、を備える。
【発明の効果】
【００１０】
本発明の中国語の特許出願のファイル変換システム及びその変換方法は、自動的にファイルの簡体字と繁体字とを変換して、素早く、且つ特許出願のファイルを正確に簡体字のファイルを繁体字のファイルに、或いは繁体字のファイルを簡体字のファイルに変換できるので、繁体字のファイル或いは簡体字のファイルにおける繁体字或いは簡体字を一つ一つ調査する必要がないため、便利である。
【図面の簡単な説明】
【００１１】
【図１】本発明に係る中国語の特許出願のファイル変換システムの応用環境を示す図である。
【図２】図１に示した中国語の特許出願のファイル変換システムの機能モジュールを示す図である。
【図３】本発明に係る中国語の特許出願のファイルの変換方法の流れ図である。
【図４】図３に示した中国語の特許出願のファイルの変換方法の中国語の簡体字の単語表を示す図である。
【図５】図３に示した中国語の特許出願のファイルの変換方法の中国語の繁体字の単語表を示す図である。
【図６】図３に示した中国語の特許出願のファイルの変換方法の中国語の簡体字ファイルの書式を示す図である。
【図７】図３に示した中国語の特許出願のファイルの変換方法の中国語の繁体字ファイルの書式を示す図である。
【発明を実施するための形態】
【００１２】
以下、図面に基づいて、本発明に係る中国語の特許出願のファイル変換システム及びその変換方法について詳細に説明する。本発明の中国語の特許出願のファイル変換システム２０は、パソコン２内で実行される。パソコン２は、データベース５と接続される。パソコン２は、ディスプレイ１、キーボード３及びマウス４と接続されて、パソコンを具体的に操作する際、入力／出力装置となる。
【００１３】
データベース５は、パソコン２に設置される或いは外部に設置されても良い。データベース５には、変換するための文書、単語表及び書式ファイルが保存されている。
【００１４】
単語表は、中国語の簡体字の単語表６００（図４を参照）及び中国語の繁体字の単語表６０１（図５を参照）を備える。
【００１５】
中国語の簡体字の単語表６００は、中国語の簡体字の単語間で変換するための対応する対応表を備える。例えば、図４に示したように、中国語の簡体字の単語
【００１６】
【数３】
2014123379.tif 000005
【００１７】
に対応する中国語の簡体字は
【００１８】
【数４】
2014123379.tif 000006
【００１９】
であり、中国語の簡体字の単語
【００２０】
【数５】
2014123379.tif 000007
【００２１】
に対応する中国語の簡体字の単語は
【００２２】
【数６】
2014123379.tif 000008
【００２３】
である。中国語の繁体字を簡体字に変換した場合、繁体字を簡体字に変換したのみであるので、変換した後の中国語の簡体字の単語はユーザが求める単語と異なる。この場合、中国語の簡体字の単語表６００は、変換した中国語の簡体字の単語を調整して、変換した後の中国語の簡体字の単語をユーザが設定した標準に対応させる。
【００２４】
中国語の繁体字の単語表６０１は、中国語の繁体字の単語間で変換するための対応する対応表を備える。例えば、図５に示したように、中国語の繁体字の単語
【００２５】
【数７】
2014123379.tif 000009
【００２６】
に対応する中国語の簡体字の単語は
【００２７】
【数８】
2014123379.tif 000010
【００２８】
であり、中国語の簡体字の単語
【００２９】
【数９】
2014123379.tif 000011
【００３０】
に対応する中国語の簡体字の単語は
【００３１】
【数１０】
2014123379.tif 000012
【００３２】
である。中国語の簡体字を繁体字に変換した場合、簡体字を繁体字に変換するのみであるので、変換した後の中国語の繁体字の単語はユーザが求める単語と異なる。この場合、中国語の繁体字の単語表６０１は、変換した中国語の繁体字の単語を調整して、変換した後の中国語の繁体字の単語をユーザが設定した標準に対応させる。
【００３３】
書式ファイルは、中国語の簡体字の書式ファイル７００（図６を参照）及び中国語の繁体字の書式ファイル７０１（図７を参照）を備える。各種類の書式ファイルは、複数のラベルを備える。図７に示したように、
【００３４】
【数１１】
2014123379.tif 000013
【００３５】
は１つのラベルである。
【００３６】
図６に示したように、本実施形態において、中国語の簡体字の書式ファイル７００は、中国の特許庁に出願する特許出願のファイルの書式によってファイルを形成する。
【００３７】
図７に示したように、本実施形態において、中国語の繁体字の書式ファイル７０１は、台湾の特許庁に出願する特許出願のファイルの書式によってファイルを形成する。
【００３８】
中国語の簡体字の書式ファイル７００のラベルは、中国語の繁体字の書式ファイル７０１のラベルに対応する。詳しく説明すれば、中国語の簡体字の書式ファイル７００のラベル
【００３９】
【数１２】
2014123379.tif 000014
【００４０】
に対応する中国語の繁体字の書式ファイル７０１のラベルは
【００４１】
【数１３】
2014123379.tif 000015
【００４２】
であり、ラベル
【００４３】
【数１４】
2014123379.tif 000016
【００４４】
に対応するラベルは
【００４５】
【数１５】
2014123379.tif 000017
【００４６】
であり、ラベル
【００４７】
【数１６】
2014123379.tif 000018
【００４８】
に対応するラベルは
【００４９】
【数１７】
2014123379.tif 000019
【００５０】
であり、ラベル
【００５１】
【数１８】
2014123379.tif 000020
【００５２】
に対応するラベルは
【００５３】
【数１９】
2014123379.tif 000021
【００５４】
であり、ラベル
【００５５】
【数２０】
2014123379.tif 000022
【００５６】
に対応するラベルは「＜先前技術＞」であり、ラベル
【００５７】
【数２１】
2014123379.tif 000023
【００５８】
に対応するラベルは「＜発明内容＞」であり、ラベル
【００５９】
【数２２】
2014123379.tif 000024
【００６０】
に対応するラベルは
【００６１】
【数２３】
2014123379.tif 000025
【００６２】
であり、ラベル
【００６３】
【数２４】
2014123379.tif 000026
【００６４】
に対応するラベルは
【００６５】
【数２５】
2014123379.tif 000027
【００６６】
であり、ラベル
【００６７】
【数２６】
2014123379.tif 000028
【００６８】
に対応するラベルは
【００６９】
【数２７】
2014123379.tif 000029
【００７０】
であり、ラベル
【００７１】
【数２８】
2014123379.tif 000030
【００７２】
に対応するラベルは
【００７３】
【数２９】
2014123379.tif 000031
【００７４】
である。中国語の簡体字の書式ファイル７００のラベルの数は、中国語の繁体字の書式ファイル７０１のラベルの数と異なり、ある中国語の繁体字の書式ファイル７０１のラベルは、中国語の簡体字の書式ファイル７００のラベルに対応しない。中国語の簡体字の書式ファイル７００に設置されたラベルが、中国語の繁体字の書式ファイル７０１のラベルと対応するのは、特許出願のファイルの繁体字の書式ファイルを簡体字ファイルに変換するためである。
【００７５】
前記書式ファイルは、ＷＯＲＤ、ＥＸＣＥＬ、ＰＤＦ、ＸＭＬ、ＨＴＭＬ等である。
【００７６】
図２に示したように、本発明のパソコン２は、更にデータ線、信号線と接続されたメモリ２６０及びプロセッサ２７０を備える。中国語の特許出願のファイル変換システム２０は、設定モジュール２１０、導入モジュール２２０、コールモジュール２３０、判断モジュール２４０、変換モジュール２５０を備える。設定モジュール２１０と、導入モジュール２２０と、コールモジュール２３０と、判断モジュール２４０と、変換モジュール２５０と、はそれぞれプログラムコード化されてメモリ２６０に保存され、プロセッサ２７０はこのプログラムコードを実行し、且つ中国語の繁体字と簡体字の変換システム２０にそれぞれ対応する機能を提供する。
【００７７】
設定モジュール２１０は、書式ファイルを設定する。本実施形態において、設定モジュール２１０は、中国語の簡体字の書式ファイル７００及び中国語の繁体字の書式ファイル７０１を設定し、且つデータベース５に保存する。
【００７８】
導入モジュール２２０は、特許出願のファイルの内容を１つの書式ファイルに導入する。詳しく説明すると、特許出願のファイルが中国語の簡体字のファイルである場合、該中国語の簡体字のファイルを中国語の簡体字の書式ファイル７００に導入する。特許出願のファイルが中国語の繁体字のファイルである場合、該中国語の繁体字のファイルを中国語の繁体字の書式ファイル７０１に導入する。各特許出願のファイルの書式は変更されないので、キーワードによって特許出願のファイルの対応する区域の内容を検索し、対応する書式ファイルの区域に導入する。例えば、ユーザがキーワード
【００７９】
【数３０】
2014123379.tif 000032
【００８０】
によって特許出願のファイルから
【００８１】
【数３１】
2014123379.tif 000033
【００８２】
に関する内容を検索し、検索された
【００８３】
【数３２】
2014123379.tif 000034
【００８４】
に関する内容を中国語の簡体字の書式ファイル７００のラベル
【００８５】
【数３３】
2014123379.tif 000035
【００８６】
の区域に導入する。
【００８７】
コールモジュール２３０は、ユーザが選択した変換インターフェースに基づいて、前記書式ファイルの内容における簡体字を繁体字に変換する或いは繁体字を簡体字に変換するために用いられる。詳しく説明すると、本実施形態において、変換インターフェースは、簡体字を繁体字に変換する或いは繁体字を簡体字に変換するインターフェースであるが、例えば、マイクロソフトのＷＯＲＤソフトの簡体字と繁体字を変換するインターフェースに限定されない。特許出願のファイルが中国語の簡体字のファイルである場合、先ず、中国語の簡体字の書式ファイル７００に該簡体字のファイルを導入させる。次に、ユーザが中国語の簡体字を中国語の繁体字に変換するインターフェースを選択すると、中国語の簡体字の書式ファイル７００に導入された内容の中国語の簡体字を中国語の繁体字に変換することができる。特許出願のファイルが中国語の繁体字のファイルである場合、先ず、該繁体字のファイルを中国語の繁体字の書式ファイル７０１に導入させる。次に、ユーザが中国語の繁体字を中国語の簡体字に変換するインターフェースを選択すると、中国語の繁体字の書式ファイル７０１に導入された内容の中国語の繁体字を中国語の簡体字に変換することができる。変換インターフェースは、書式ファイルのラベルに対して繁体字と簡体字との変換は行わない。例えば、中国語の簡体字の書式ファイル７００のラベル
【００８８】
【数３４】
2014123379.tif 000036
【００８９】
に対して繁体字と簡体字との変換は行わない。
【００９０】
導入モジュール２２０は、変換した書式ファイルの内容をもう１つの書式ファイルに導入する。詳しく説明すれば、変換された書式ファイルが中国語の簡体字の書式ファイル７００である場合、中国語の簡体字の書式ファイル７００の内容を中国語の繁体字の書式ファイル７０１に導入する。変換された書式ファイルが中国語の繁体字の書式ファイル７０１である場合、中国語の繁体字の書式ファイル７０１の内容を中国語の簡体字の書式ファイル７００に導入する。
【００９１】
判断モジュール２４０は、もう１つの書式ファイルの内容が対応する単語表の単語を備えているかどうかを判断する。詳しく説明すれば、もう１つの書式ファイルの内容が中国語の簡体字の書式ファイル７００である場合、中国語の簡体字の書式ファイル７００の内容が中国語の簡体字の単語表６００の単語を備えているかどうかを判断する。もう１つの書式ファイルの内容が中国語の繁体字の書式ファイル７０１である場合、中国語の繁体字の書式ファイル７０１の内容が中国語の繁体字の単語表６０１の単語を備えているかどうかを判断する。
【００９２】
変換モジュール２５０は、対応する単語表によって、もう１つの書式ファイルの単語を変換する。具体的には、もう１つの書式ファイルの内容が中国語の簡体字の書式ファイル７００である場合、中国語の簡体字の書式ファイル７００の
【００９３】
【数３５】
2014123379.tif 000037
【００９４】
を
【００９５】
【数３６】
2014123379.tif 000038
【００９６】
に変換し、
【００９７】
【数３７】
2014123379.tif 000039
【００９８】
を
【００９９】
【数３８】
2014123379.tif 000040
【０１００】
に変換する。もう１つの書式ファイルの内容が中国語の繁体字の書式ファイル７０１である場合、中国語の繁体字の書式ファイル７０１の
【０１０１】
【数３９】
2014123379.tif 000041
【０１０２】
を
【０１０３】
【数４０】
2014123379.tif 000042
【０１０４】
に変換し、
【０１０５】
【数４１】
2014123379.tif 000043
【０１０６】
を
【０１０７】
【数４２】
2014123379.tif 000044
【０１０８】
に変換する。
【０１０９】
図３に示したように、中国語の特許出願のファイル変換方法は、以下のステップ（Ｓ１０〜Ｓ６０）を備える。
【０１１０】
ステップＳ１０において、設定モジュール２１０は、２つの書式ファイルを設定する。本実施形態において、設定モジュール２１０は、中国語の簡体字の書式ファイル７００及び中国語の繁体字の書式ファイル７０１を設定し、且つデータベース５に保存する。
【０１１１】
ステップＳ２０において、導入モジュール２２０は、特許出願のファイルの内容を１つの書式ファイルに導入する。詳しく説明すると、特許出願のファイルが中国語の簡体字のファイルである場合、該中国語の簡体字のファイルを中国語の簡体字の書式ファイル７００に導入する。特許出願のファイルが中国語の繁体字のファイルである場合、該中国語の繁体字のファイルを中国語の繁体字の書式ファイル７０１に導入する。各特許出願のファイルの書式は変更されないので、キーワードによって特許出願のファイルの対応する区域の内容を検索し、対応する書式ファイルの区域に導入する。例えば、ユーザがキーワード
【０１１２】
【数４３】
2014123379.tif 000045
【０１１３】
によって特許出願のファイルから
【０１１４】
【数４４】
2014123379.tif 000046
【０１１５】
に関する内容を検索し、検索された
【０１１６】
【数４５】
2014123379.tif 000047
【０１１７】
に関する内容を中国語の簡体字の書式ファイル７００のラベル
【０１１８】
【数４６】
2014123379.tif 000048
【０１１９】
の区域に導入する。
【０１２０】
ステップＳ３０において、コールモジュール２３０は、ユーザが選択した変換インターフェースに基づいて、前記書式ファイルの内容における簡体字を繁体字に変換する或いは繁体字を簡体字に変換するために用いられる。詳しく説明すると、本実施形態において、変換インターフェースは、簡体字を繁体字に変換する或いは繁体字を簡体字に変換するインターフェースであるが、例えば、マイクロソフトのＷＯＲＤソフトの簡体字と繁体字とを変換するインターフェースに限定されない。特許出願のファイルが中国語の簡体字のファイルである場合、先ず、中国語の簡体字の書式ファイル７００に該簡体字のファイルを導入させる。次に、ユーザが中国語の簡体字を中国語の繁体字に変換するインターフェースを選択すると、中国語の簡体字の書式ファイル７００に導入された内容の中国語の簡体字を中国語の繁体字に変換することができる。特許出願のファイルが中国語の繁体字のファイルである場合、先ず、該繁体字のファイルを中国語の繁体字の書式ファイル７０１に導入させる。次に、ユーザが中国語の繁体字を中国語の簡体字に変換するインターフェースを選択すると、中国語の繁体字の書式ファイル７０１に導入された内容の中国語の繁体字を中国語の簡体字に変換することができる。変換インターフェースは、書式ファイルのラベルに対して繁体字と簡体字との変換は行わない。例えば、中国語の簡体字の書式ファイル７００のラベル
【０１２１】
【数４７】
2014123379.tif 000049
【０１２２】
に対して繁体字と簡体字との変換は行わない。
【０１２３】
ステップＳ４０において、導入モジュール２２０は、変換した書式ファイルの内容をもう１つの書式ファイルに導入する。詳しく説明すれば、変換した書式ファイルが中国語の簡体字の書式ファイル７００である場合、中国語の簡体字の書式ファイル７００の内容を中国語の繁体字の書式ファイル７０１に導入する。変換した書式ファイルが中国語の繁体字の書式ファイル７０１である場合、中国語の繁体字の書式ファイル７０１の内容を中国語の簡体字の書式ファイル７００に導入する。
【０１２４】
ステップＳ５０において、判断モジュール２４０は、もう１つの書式ファイルの内容が対応する単語表の単語を備えるかどうかを判断する。詳しく説明すれば、もう１つの書式ファイルの内容が中国語の簡体字の書式ファイル７００であり、中国語の簡体字の書式ファイル７００の内容が中国語の簡体字の単語表６００の単語を備える場合、ステップＳ６０に進む。もう１つの書式ファイルの内容が中国語の簡体字の書式ファイル７００であり、中国語の簡体字の書式ファイル７００の内容が中国語の簡体字の単語表６００の単語を備えない場合、ここで全てのステップは終了する。もう１つの書式ファイルの内容が中国語の繁体字の書式ファイル７０１である場合、中国語の繁体字の書式ファイル７０１の内容が中国語の繁体字の単語表６０１の単語を備える場合、ステップＳ６０に進む。もう１つの書式ファイルの内容が中国語の繁体字の書式ファイル７０１である場合、中国語の繁体字の書式ファイル７０１の内容が中国語の繁体字の単語表６０１の単語を備えない場合、ここで全てのステップは終了する。
【０１２５】
ステップＳ６０において、対応する単語表によって、もう１つの書式ファイルの単語を変換する。詳しく説明すれば、もう１つの書式ファイルの内容が中国語の簡体字の書式ファイル７００である場合、中国語の簡体字の書式ファイル７００の
【０１２６】
【数４８】
2014123379.tif 000050
【０１２７】
を
【０１２８】
【数４９】
2014123379.tif 000051
【０１２９】
に変換し、
【０１３０】
【数５０】
2014123379.tif 000052
【０１３１】
を
【０１３２】
【数５１】
2014123379.tif 000053
【０１３３】
に変換する。もう１つの書式ファイルの内容が中国語の繁体字の書式ファイル７０１である場合、中国語の繁体字の書式ファイル７０１の
【０１３４】
【数５２】
2014123379.tif 000054
【０１３５】
を
【０１３６】
【数５３】
2014123379.tif 000055
【０１３７】
に変換し、
【０１３８】
【数５４】
2014123379.tif 000056
【０１３９】
を
【０１４０】
【数５５】
2014123379.tif 000057
【０１４１】
に変換する。
【符号の説明】
【０１４２】
１  ディスプレイ
２  パソコン
３  キーボード
４  マウス
５  データベース
２０  中国語の特許出願のファイル変換システム
２１０  設定モジュール
２２０  導入モジュール
２３０  コールモジュール
２４０  判断モジュール
２５０  変換モジュール
２６０  メモリ
２７０  プロセッサ
６００  中国語の簡体字の単語表
６０１  中国語の繁体字の単語表
７００  中国語の簡体字の書式ファイル
７０１  中国語の繁体字の書式ファイル
【図１】
2014123379.tif 000058
【図２】
2014123379.tif 000059
【図３】
2014123379.tif 000060
【図４】
2014123379.tif 000061
【図５】
2014123379.tif 000062
【図６】
2014123379.tif 000063
【図７】
2014123379.tif 000064